(57)【要約】【課題】  複数の電子機器筐体を段積みして設置する際機器の安定化を図り確実に転倒を防止し、機器未使用時には脚体でコネクタ部の保護を行う。【解決手段】  電子機器底部に配された板状スライド部材を電子機器背面に突出させ機器の設置時の安定化を図る。また、電子機器未使用時には前記板状スライド部材端部に配された回動部材を回動させ、脚体でコネクタ部の保護を行う。【選択図】  図１
2006229123.tif 000002
【特許請求の範囲】
【請求項１】
複数の筐体を重ね機械的電気的に接続して使用する電子機器筐体において、該電子機器筐体の底面に配置された複数の脚体のうち筐体背面側の脚体が該電子機器筐体背面より突出可能に構成された事を特徴とする電子機器筐体。
【請求項２】
電子機器筐体背面より突出可能に構成された脚体は該電子機器の未使用時に該電子機器背面に設けたコネクタ部カバーとして機能させる事を特徴とする請求項１に記載の電子機器筐体。
【請求項３】
電子機器背面より突出可能なスライド部材及び回動部材で構成された事を特徴とする請求項１、又は、請求項２に記載の電子機器筐体。
【発明の詳細な説明】
【技術分野】
【０００１】
本発明は、複数の電子機器を接続して使用した場合の機器の転倒防止及び電子機器未使用時のコネクタ部の保護に関する。
【背景技術】
【０００２】
コンピュータに接続される外部記憶装置などの電子機器のユニットは、最近薄型化、小型化の傾向にある。このような薄型の電子機器は設置スペースを小さくするため縦置きで使用することが多くなってきているが、薄型化される結果転倒防止用のスタンドを付設する必要が生じる。薄型化されスタンドが付設された複数の機器は、並列に近接して設置される場合が多い。また、設置時の設置スペースを小さくするためだけに電子機器を複数台重ねて使用する場合もあった。図４及び図５は従来の筐体としての電子機器の配置例を示す。図４に示す電子機器２１はコンピュータに近接して縦置きに設置される。このとき各機器の底面には、両側面から突出する一対のスタンド２２が付設されており、机上に載置したときに転倒を防止するようになっている。図５は電子機器２１を複数台重ねて使用するため設置時の設置スペースは電子機器２１の台数が増すほど図４の配置例に比べ小さくなる。
【０００３】
又、別の従来例としては、特許文献１及び特許文献２をあげることが出来る。
【特許文献１】特開２００２−１００８８４号公報
【特許文献２】特開２００３−１０８２６１号公報
【発明の開示】
【発明が解決しようとする課題】
【０００４】
しかしながら上記のようなスタンドが付設された電子機器を、図４に示すように並列に近接して設置する場合、スタンド２２が電子機器２１の底面両側から突出して設けられているため、相互に干渉して近接させることができないという問題があった。またスタンド２２の干渉を避けるために電子機器２１をフロントパネルに平行にずらして配置すると、整列感がなく設置スペースも大きくとらなければならないという欠点があった。そして、機器の薄型・小型化とは相反し、取り扱うデータは大容量化が進みインタフェイスにも高速化が求められてきており、機器間を接続するケーブルは多芯且つ外部からの高周波等の影響を防ぐためノイズ防止シールドが施され、ケーブル径は太く、ケーブル重量は重くなり、電子機器を図５の様に段積みした場合、小型軽量の機器本体がケーブルの腰・重量に負けてしまい設置時の安定性に支障をきたす場合があった。さらに、機器ユニットの未使用時、コネクタ部にカバーがないため、埃等がコネクタに侵入するといった問題があった。本発明はこのような状況に鑑みてなされたもので、電子機器の設置時の安定化を図り、確実に転倒を防止することができ、機器の設置面積を大きくする事がなく設置することことを目的とする。また、機器未使用時に脚体でコネクタ部の保護をすることを目的とする。
【課題を解決するための手段】
【０００５】
前述の目的を達成するために、電子機器筐体を複数台重ね機械的電気的に接続して使用する場合、機器底面に配置した板状スライド部材を機器背面側に突出させ電子機器の安定化を図り、電子機器未使用時には該板状スライド部材の端部に配された回動部材を回動させ脚体部でコネクタのカバーとして機能させる事を特徴とする。
【発明の効果】
【０００６】
以上説明したように、本発明によれば電子機器筐体を複数台重ね機械的電気的に接続して使用する場合において、該電子機器の設置スペースを大きくすることなく機器底面に配置した板状スライド部材を機器背面側に突出させ電子機器の安定化を容易に行うことができる。また、電子機器筐体を段積みせずに、チェーン状に接続しても同様に電子機器の安定化を図る事ができる。電子機器本体未使用時においては脚体部でコネクタのカバーとして機能させる事ができる。
【発明を実施するための最良の形態】
【０００７】
以下本発明を図面に基づいて説明する。図１は本実施例の電子機器を底面から見た斜視図、図２は該電子機器を複数台段積みした場合の側面図、図３は板状スライド部材の位置関係を示す要部詳細図である。図において１は電子機器である。この電子機器１の底部には板状スライド部材２、該板状スライド部材を保持する保持部材３、スライドロックバネ４、電子機器１を支える脚部５が配され、また、板状スライド部材の端部には蝶番６及び回動部材７、該回動部材にはコネクタカバーと兼用する脚体８が配されている。段積みされた電子機器間は図示していないがアース導通のため機械的に接続している。図２の様に複数台の電子機器を重ねて設置する場合、最下部の電子機器は該電子機器本体背面より板状スライド部材２を突出させ、スライドロックバネの突起部４Ａと板状スライド部材の切り欠き部２ａが合致し電子機器１の背面に突出する。最下部以外の電子機器は、スライドロックバネの突起部４Ａと板状スライド部材の切り欠き部２ｂを合致させ板状スライド部材２を電子機器１の背面より内側に収納する。また、脚体８はコネクタカバーと兼用するが脚体として使用する場合接触面の平行度は回転ストッパー９で蝶番６のヒンジ部の厚みを吸収し、さらに回動ロックのため回動ロックバネ１０で回動部材を固定し、脚体の安定化を図っている。電子機器本体未使用時は、回動部材を板状スライド部材に対し垂直に回動させる。回動部材の回動は、スライドロックバネの突起部４Ａと板状スライド部材の切り欠き部２ａを合致した位置、すなわち電子機器筐体部と回動部材が干渉しない位置で行う。また、回動部材７は、板状スライド部材の端面に設けられた回転ストッパー１１と回動部材７の凸部７Ａとが接触することにより回動部材の回転が規制される。この状態で、スライドロックバネの突起部４Ａと板状スライド部材の切り欠き部２ｂを合致させ板状スライド部材２を電子機器１の背面より内側に収納する事により、脚体の凹面とコネクタ凸面が密着し、外部からの埃がコネクタ内部に侵入する事はない。（図１参照）
【図面の簡単な説明】
【０００８】
【図１】本発明の電子機器を底面から見た斜視図である。
【図２】電子機器を複数台段積みした場合の側面図である。
【図３】板状スライド部材の位置関係を示す要部詳細図である。
【図４】従来の電子機器の配置例を示す図である。
【図５】従来の電子機器の配置例を示す図である。
【符号の説明】
【０００９】
１  電子機器
２  板状スライド部材
３  保持部材
４  スライドロックバネ
５  脚部
６  蝶番
７  回動部材
８  脚体
９  回転ストッパー
１０  回動ロックバネ
１１  回転ストッパー
２１  電子機器
２２  スタンド
【図１】
2006229123.tif 000003
【図２】
2006229123.tif 000004
【図３】
2006229123.tif 000005
【図４】
2006229123.tif 000006
【図５】
2006229123.tif 000007